(57)【特許請求の範囲】
【請求項１】
筺体と、
上記筺体の上側に取り付けられて、被加熱物が載置される載置面を有するトッププレートと、
上記トッププレートの下方に配置されて、上記筺体と上記トッププレートとの間に位置し、上記被加熱物を電磁誘導加熱する加熱コイルと、
上記筺体の上側に取り付けられると共に、上記トッププレートの前方に間隔をあけて配置されて、上記加熱コイルを制御するためのキーが設けられた操作面を有する操作部と
を備え、
上記トッププレートおよび操作部は、上記操作部を前方から見たときに上記操作部の少なくとも一部が上記トッププレートに重なるように、かつ、上記トッププレートの上記載置面を含む平面が、上記操作部の上記操作面を含む平面と異なるように、設けられ、
上記トッププレートと上記操作部の間には、上記操作部の後側の端面の一部と上記トップレートの前側の端面の一部と上記筺体の上面の一部とで構成されて上方に開口する溝が設けられていることを特徴とする加熱調理器。
【請求項２】
請求項１に記載の加熱調理器において、
上記溝は、少なくとも一方の側方に開口していると共に、上記開口とは反対側に比べて上記開口側が低くなるように傾斜する底面を有することを特徴とする加熱調理器。
【請求項３】
請求項１に記載の加熱調理器において、
上記溝は、左右両側で開口していると共に、左右両端が左右方向の中央部よりも低くなるように傾斜する底面を有することを特徴とする加熱調理器。
【請求項４】
請求項１から３までのいずれか一項に記載の加熱調理器において、
上記トッププレートの上記載置面を含む平面に比べて、上記操作部の上記操作面を含む平面の方が低いことを特徴とする加熱調理器。
【請求項５】
請求項１から３までのいずれか一項に記載の加熱調理器において、
上記トッププレートの上記載置面を含む平面に比べて、上記操作部の上記操作面を含む平面の方が高いことを特徴とする加熱調理器。
【発明の詳細な説明】
【技術分野】
【０００１】
この発明は、加熱調理器に関する。
【背景技術】
【０００２】
従来、加熱調理器としては、鉄製の鍋などの被加熱物が載置される載置面を表面の一部として有するトッププレートと、このトッププレートの下方に配置されて、被加熱物を電磁誘導加熱する加熱コイルとを備えたものがある(特許文献１：特許第５０９５７３５号公報)。
【０００３】
また、上記トッププレートの表面の他の一部には、上記載置面よりも前側に位置するように、静電容量式のタッチキーが設けられている。すなわち、上記タッチキーと上記載置面が、同一平面内に設けられている。
【先行技術文献】
【特許文献】
【０００４】
【特許文献１】特許第５０９５７３５号公報
【発明の概要】
【発明が解決しようとする課題】
【０００５】
しかしながら、上記従来の加熱調理器では、上記タッチキーと上記載置面が、同一平面内に設けられているので、上記鍋が上記載置面からずれてトッププレート上に配置されたとき、あるいは、上記載置面上の上記鍋をトッププレートの表面と平行に移動させたとき、鍋の一部がタッチキーに接触し易い。このとき、上記鍋の一部がタッチキーに接触すると、タッチキーが反応し、その結果、加熱調理器が誤動作するという問題が生じる。
【０００６】
そこで、この発明の課題は、操作面のキーに被加熱部が接触し難く、誤動作の可能性が低い加熱調理器を提供することにある。
【課題を解決するための手段】
【０００７】
上記課題を解決するため、この発明の加熱調理器は、
筺体と、
上記筺体の上側に取り付けられて、被加熱物が載置される載置面を有するトッププレートと、
上記トッププレートの下方に配置されて、上記筺体と上記トッププレートとの間に位置し、上記被加熱物を電磁誘導加熱する加熱コイルと、
上記筺体の上側に取り付けられると共に、上記トッププレートの前方に間隔をあけて配置されて、上記加熱コイルを制御するためのキーが設けられた操作面を有する操作部と
を備え、
上記トッププレートおよび操作部は、上記操作部を前方から見たときに上記操作部の少なくとも一部が上記トッププレートに重なるように、かつ、上記トッププレートの上記載置面を含む平面が、上記操作部の上記操作面を含む平面と異なるように、設けられ、
上記トッププレートと上記操作部の間には、上記操作部の後側の端面の一部と上記トップレートの前側の端面の一部と上記筺体の上面の一部とで構成されて上方に開口する溝が設けられていることを特徴としている。
【０００８】
一実施形態の加熱調理器では、
上記キーは、静電容量式のタッチキーである。
【０００９】
【００１０】
一実施形態の加熱調理器では、
上記溝は、少なくとも一方の側方に開口していると共に、上記開口とは反対側に比べて上記開口側が低くなるように傾斜する底面を有する。
一実施形態の加熱調理器では、
上記溝は、左右両側で開口していると共に、左右両端が左右方向の中央部よりも低くなるように傾斜する底面を有する。
【００１１】
一実施形態の加熱調理器では、
上記トッププレートの上記載置面を含む平面に比べて、上記操作部の上記操作面を含む平面の方が低い。
【００１２】
一実施形態の加熱調理器では、
上記トッププレートの上記載置面を含む平面に比べて、上記操作部の上記操作面を含む平面の方が高い。
【発明の効果】
【００１３】
この発明の加熱調理器は、操作面のキーに被加熱部が接触し難く、誤動作の可能性を低くすることができる。
【図面の簡単な説明】
【００１４】
【図１】この発明の第１実施形態の加熱調理器の斜視図である。
【図２】図１のII−II線矢視の断面図である。
【図３】上記第１実施形態の加熱調理器の制御ブロック図である。
【図４】上記第１実施形態の加熱調理器の模式断面図である。
【図５】この発明の第２実施形態の加熱調理器の溝を説明するための模式断面図である。
【図６】この発明の第３実施形態の加熱調理器の模式断面図である。
【図７】この発明の第４実施形態の加熱調理器の模式断面図である。
【図８】この発明の第５実施形態の加熱調理器の模式断面図である。
【図９】この発明の第６実施形態の加熱調理器の模式断面図である。
【図１０】この発明の一実施形態の加熱調理器の模式断面図である。
【図１１】この発明の一実施形態の加熱調理器の模式断面図である。
【発明を実施するための形態】
【００１５】
以下、この発明を図示の実施形態により詳細に説明する。
【００１６】
〔第１実施形態〕
図１は、この発明の第１実施形態の加熱調理器を斜め上方から見た斜視図である。
【００１７】
上記加熱調理器では、略矩形のトッププレート２と、略矩形のタッチパネル式の入力操作部４とを、薄い筐体１の上側に取り付けている。なお、入力操作部４は操作部の一例である。
【００１８】
上記トッププレート２は、高価な耐熱性の結晶化ガラスからなり、清潔感を高める白色を呈する。また、トッププレート２は、厚さが例えば３ｍｍ〜４ｍｍであり、被加熱物を搭載する載置面を上側に有する。このトッププレート２の載置面２１は水平方向と略平行である。トッププレート２の略中央には、温度センサ３が設けられている。この温度センサ３は、トッププレート２に対して出没可能で、トッププレート２から所定の高さまで突出するように付勢されていて、トッププレート２の載置面２１上の例えば鉄製の鍋１００(図３に示す)などの被加熱物に接触して、被加熱物の温度を検出する。
【００１９】
上記入力操作部４はトッププレート２とは別体に設けられる。この入力操作部４は、厚さがトッププレート２の厚さと同じであり、操作面４１を上側に有する。この操作面４１には、複数の静電容量方式のタッチキー４２が設けられる。また、操作面４１は、トッププレート２の載置面２１と略平行である。すなわち、入力操作部４は、操作面４１が水平方向と略平行となるように形成される。また、入力操作部４は、タッチキー４２の操作に応じた信号を制御装置５０(図３に示す)に出力する。図示しないが、入力操作部４は、ガラス基板上に複数の透明電極を特定パターンで配置し、この複数の透明電極をプラスチックなどの絶縁体で覆うことにより、形成される。上記ガラス基板は、普通のフロートガラスよりも強度が格段に高い強化ガラスからなる。また、上記ガラス基板下には、ＬＥＤなどからなる発光部７１(図３に示す)と、文字や数字などを表示する液晶表示部７２(図３に示す)とを設けている。発光部７１から出射された光や、液晶表示部が表示する文字や数字などは、ユーザが入力操作部４を介して視認可能になっている。なお、タッチキー４２は、表面型静電容量方式であっても、投影型静電容量方式であってもよい。
【００２０】
図２は、上記加熱調理器をII−II線で切断した断面を矢印方向(前方)から見た断面図である。
【００２１】
上記トッププレート２の略中央に貫通穴５を設け、この貫通穴５の周囲のトッププレート２の部分と、筐体１の下部との間に、支持ガイド部材６を設け、この支持ガイド部材６に案内されて、温度センサ３は、トッププレート２に対して上下方向に出没可能になっている。また、トッププレート２の厚さの厚さは、例えば、約３ｍｍ〜４ｍｍの範囲内に設定される。
【００２２】
上記温度センサ３は、センサ本体７と、このセンサ本体７の上端部に埋め込んだ温度検出素子８とからなる。センサ本体７は、支持ガイド部材６に案内されて上下に移動できる。このセンサ本体７と、支持ガイド部材６との間にコイルスプリング１１を縮装して、センサ本体７を上方に付勢して、温度センサ３がトッププレート２から所定の高さまで突出できるようになっている。
【００２３】
上記温度センサ３とトッププレート２との間に、略円錐台形状のパッキン１９を設けて、温度センサ３とトッププレート２との間をシールしている。
【００２４】
また、上記筐体１とトッププレート２との間、かつ、トッププレート２の４隅（図１も参照）に、重量センサ１５，１５，…を設けて、トッププレート２上の被加熱物の重量を検出するようにしている。なお、１６は、筐体１とトッププレート２との間をシールするパッキンである。
【００２５】
また、上記筐体１内のボス２５に、取り付け台２６を固定し、この取り付け台２６に加熱コイル２８を固定して、加熱コイル２８をトッププレート２の下方に配置している。この加熱コイル２８の駆動によって、被加熱物は電磁誘導加熱される。
【００２６】
また、上記筐体１の図示しないボスに、回路基板８０を固定し、この回路基板８０に、加熱コイル２８を駆動するインバータ８１と、インバータ駆動部８２と、制御装置５０とを搭載している。
【００２７】
上記筐体１内には、上記加熱コイル２８、インバータ８１と、インバータ駆動部８２、制御装置５０などを冷却するための冷却ファン２９を設けている。
【００２８】
図３は上記加熱調理器の制御ブロック図である。
【００２９】
上記加熱調理器は、マイクロコンピュータからなる制御装置５０を備える。この制御装置５０は、ＣＰＵ（中央処理装置）４１と、メモリ５２と、タイマー５３とを含む。例えば、制御装置５０は、ＣＰＵ５１によって、入力操作部４の出力信号と、温度センサ３および重量センサの検出信号とに基づいて、インバータ駆動部８２を介して、インバータ８１の駆動を制御する。なお、１８は、ブザーや発光ダイオードなどからなる報知部である。
【００３０】
図４は、上記加熱調理器を前後方向に平行な鉛直面で切った模式断面図である。この図４では、トッププレート２および入力操作部４の厚さや、トッププレート２と入力操作部４の間の距離を、誇張して示している。
【００３１】
上記トッププレート２の載置面２１と入力操作部４の操作面４１との間には段差が生じている。すなわち、上記加熱調理器の設置面に対するトッププレート２の載置面２１の高さは、その設置面に対する入力操作部４の操作面４１の高さと異なる。別の言い方をすれば、トッププレート２の載置面２１を含む平面は、入力操作部４の操作面４１を含む平面と異なる。また、入力操作部４の操作面４１はトッププレート２の載置面２１よりも低い位置にある。この入力操作部４の操作面４１とトッププレート２の載置面２１との高低差ＤＨは、０．５ｍｍ〜３．０ｍｍの範囲内である。より詳しくは、上下方向において、トッププレート２の載置面２１と、入力操作部４の操作面４１との間の距離で最も短い距離は、０．５ｍｍ〜３．０ｍｍの範囲内に入っている。また、トッププレート２および入力操作部４は、入力操作部４を前方から見たときに入力操作部４の大部分がトッププレート２に重なるように、設けられている。このとき、入力操作部４の操作面４１を含む平面は、トッププレート２に重なっている。
【００３２】
また、上記トッププレート２と入力操作部４１の間には、溝１２が設けられている。この溝１２は、左右両側で開口していると共に、底面１２１が水平方向と略平行になっている。また、溝１２の幅(トッププレート２と入力操作部４１の間の距離)は、左右方向において略一定であり、０．５ｍｍ〜２．０ｍｍの範囲である。
【００３３】
上記構成の加熱調理器によれば、鍋１００がトッププレート２の載置面２１上を前側に摺動して、図４に示す状態になったとき、入力操作部４の操作面４１はトッププレート２の載置面２１よりも下側に位置するので、鍋１００の底面が入力操作部４の操作面４１に接触しない。したがって、鍋１００の接触でタッチキー４２がオンにならず、加熱コイル２８の制御がユーザの意思に反して行われるのを防ぐことができる。したがって、上記加熱調理器の誤動作の可能性を低くすることができる。
【００３４】
また、上記鍋１００の一部が入力操作部４の操作面４１上に位置したとき、鍋１００の底面と入力操作部４の操作面４１との間の距離を０．５ｍｍ〜３．０ｍｍの範囲内にできる。したがって、入力操作部４の透明電極の静電容量が変化し難く、タッチキー４２の予期しないオンを防ぐ効果を高めることができる。
【００３５】
また、上記入力操作部４を前方から見たときに入力操作部４の大部分がトッププレート２の大部分に重なるので、トッププレート２の載置面２１と入力操作部４の操作面４１とを前方の斜め上方から見たとき、載置面２１と操作面４１の間に生じる段差が目立ち難くなる。したがって、載置面２１および操作面４１で生じる美観の低下を防ぐことができる。
【００３６】
また、上記操作面４１に静電容量式のタッチキー４２を設けることにより、操作面４１からタッチキー４２が突出しないので、鍋１００がタッチキー４２に接触する可能性を低減できる。
【００３７】
また、上記タッチキー４２は静電容量式であるので、抵抗膜方式に比べて、薄くすることができる。したがって、タッチキー４２への鍋１００の接触の可能性を下げる効果を高めることができる。
【００３８】
また、上記鍋１００から載置面２１に例えば液体が吹きこぼれたとき、トッププレート２と入力操作部４の間に溝１２があるので、操作面４１に向かって流れる液体を溝１２に沿って流すことができる。これにより、上記液体が操作面４１に付着し難くなる。
【００３９】
また、上記溝１２の左右両側で開口しているので、溝１２内の液体を左右両側に排水できる。したがって、溝１２内から液体が溢れて操作面４１に向かって流れるのを抑制できる。
【００４０】
上記第１実施形態では、入力操作部４の上面となる操作面４１に、複数の静電容量方式のタッチキー４２を操作面４１に設けていたが、タッチキー４２の換わりに、タクトキーを設けてもよい。あるいは、操作面４１に、少なくとも１つの静電容量方式のタッチキーと、少なくとも１つのタクトキーとを設けてもよい。
【００４１】
上記第１実施形態では、溝２１２は、左右両側で開口していたが、左右のどちらか一方側だけで開口するようにしてもよい。
【００４２】
上記第１実施形態では、入力操作部４の操作面４１とトッププレート２の載置面２１との高低差ＤＨは、０．５ｍｍ〜３．０ｍｍの範囲内とするのが好ましいが、０．５ｍｍ〜１．０ｍｍの範囲内とするのがより好ましい。
【００４３】
すなわち、上記入力操作部４の操作面４１とトッププレート２の載置面２１との高低差ＤＨは、トッププレート２の厚さ未満とするのが好ましく、トッププレート２の厚さの半分以下とするのがより好ましい。
【００４４】
〔第２実施形態〕
図５は、この発明の第２実施形態の加熱調理器において溝２１２１が形成されている箇所を左右方向に平行な鉛直面で切った断面の模式図である。
【００４５】
この発明の第２実施形態の加熱調理器は、溝２１２を備えている点だけが、上記第１実施形態とは異なる。この溝２１２は、左右両側で開口していると共に、底面２１２１が水平方向に対して傾斜している。より詳しくは、底面２１２１は、左右両端が左右方向の中央部よりも低くなるように傾斜し、前後方向から見た形状が逆Ｖ字形状になっている。
【００４６】
このように、上記溝２１２の底面２１２１が傾斜するので、溝２１２内に入った例えば液体が溝２１２の左右両側の開口へ流れ易い。したがって、溝２１２内の液体の左右両側への排出効果を高めることができる。その結果、操作面４１への液体の付着の抑制効果を高めることができる。
【００４７】
なお、図５では、上記第１実施形態の構成部と同一構成部には、上記第１実施形態の構成部の参照番号と同一参照番号を付している。
【００４８】
上記第２実施形態では、溝２１２の底面２１２１は、左右方向の中央部に比べて左右両端が低くなっていたが、左右方向の一端に比べて左右方向の他端が低くなるようにしてもよい。すなわち、上記加熱調理器は、左右方向の一端から左右方向の他端に向かって下り勾配で傾斜した底面を有する溝を備えてもよい。
【００４９】
〔第３実施形態〕
この発明の第３実施形態の加熱調理器は、図６に示すように、筺体３０１と、この筺体３０１上であって入力操作部４の後側に配置されたトッププレート３０２とを備えている。
【００５０】
上記筺体３０１およびトッププレート３０２は、上記第１実施形態とは形状が異なるだけである。より詳しくは、トッププレート３０２は、上記第１実施形態のトッププレート２よりも厚く、前後方向においては、入力操作部４の全部がトッププレート２の大部分に重なっている。この入力操作部４の操作面４１は、上記第１実施形態と同様に、トッププレート３０２の載置面３２１よりも低い位置にあり、操作面４１と載置面３２１との高低差は、上記第１実施形態と同様に、０．５ｍｍ〜３．０ｍｍの範囲内である。
【００５１】
上記構成の加熱調理器であっても、上記第１実施形態と同様の作用効果を奏する。
【００５２】
なお、図６では、上記第１実施形態の構成部と同一構成部には、上記第１実施形態の構成部の参照番号と同一参照番号を付している。
【００５３】
上記第３実施形態では、トッププレート３０２の厚さの厚さは、例えば、約３ｍｍ〜４ｍｍの範囲内に設定してもよい。
【００５４】
上記第３実施形態では、操作面４１と載置面３２１との高低差は、０．５ｍｍ〜３．０ｍｍの範囲内とするのが好ましく、０．５ｍｍ〜１．０ｍｍの範囲内とするのがより好ましい。
【００５５】
すなわち、上記操作面４１と載置面３２１との高低差は、トッププレート３０２の厚さ未満とするのが好ましく、トッププレート３０２の厚さの半分以下とするのがより好ましい。
【００５６】
〔第４実施形態〕
この発明の第４実施形態の加熱調理器は、図７に示すように、トッププレート２および入力操作部４が取り付けられる筺体４０１を備える。
【００５７】
上記筺体４０１は、上記第１実施形態とは形状が異なるだけである。より詳しくは、筺体４０１にトッププレート２および入力操作部４を取り付けたとき、入力操作部４の操作面４１はトッププレート２の載置面２１よりも高い位置にある。また、前後方向においては、入力操作部４の大部分がトッププレート２の大部分に重なっている。また、操作面４１と載置面２１との高低差は、上記第１実施形態と同様に、０．５ｍｍ〜３．０ｍｍの範囲内である。
【００５８】
上記構成の加熱調理器によれば、鍋１００がトッププレート２の載置面２１上を前側に摺動したとき、入力操作部４の後端面に鍋１００を当接させて、入力操作部４の操作面４１上に鍋１００の一部が載ってしまうのを防ぐことができる。したがって、鍋１００の接触でタッチキー４２がオンにならないようにして、加熱コイル２８の制御がユーザの意思に反して行われるのを防ぐことができる。
【００５９】
また、上記鍋１００から載置面２１に例えば液体が吹きこぼれたとき、入力操作部４の操作面４１はトッププレート２の載置面２１よりも高い位置にあるので、上記液体は操作面４１上に流れ難い。
【００６０】
なお、図７では、上記第１実施形態の構成部と同一構成部には、上記第１実施形態の構成部の参照番号と同一参照番号を付している。
【００６１】
上記第４実施形態では、操作面４１と載置面２１との高低差は、０．５ｍｍ〜３．０ｍｍの範囲内するのが好ましく、０．５ｍｍ〜１．０ｍｍの範囲内とするのがより好ましい。
【００６２】
すなわち、上記操作面４１と載置面２１との高低差は、トッププレート２の厚さ未満とするのが好ましく、トッププレート３０２の厚さの半分以下とするのがより好ましい。
【００６３】
〔第５実施形態〕
この発明の第５実施形態の加熱調理器は、図８に示すように、筺体４０１上であってトッププレート２の前側に配置された入力操作部５０４を備えている。
【００６４】
上記入力操作部５０４は、上記第４実施形態とは形状が異なるだけである。より詳しくは、入力操作部５０４は、上記第４実施形態の入力操作部４よりも厚く、前後方向においては、入力操作部５０４の大分部がトッププレート２の全部に重なっている。この入力操作部４の操作面５４１は、上記第４実施形態と同様に、トッププレート２の載置面２１よりも高い位置にあり、操作面５４１と載置面２１との高低差は、上記第４実施形態と同様に、０．５ｍｍ〜３．０ｍｍの範囲内である。
【００６５】
上記構成の加熱調理器であっても、上記第４実施形態と同様の作用効果を奏する。
【００６６】
なお、図８では、上記第４実施形態の構成部と同一構成部には、上記第４実施形態の構成部の参照番号と同一参照番号を付している。
【００６７】
上記第５実施形態では、操作面５４１と載置面２１との高低差は、０．５ｍｍ〜３．０ｍｍの範囲内とするのが好ましく、０．５ｍｍ〜１．０ｍｍの範囲内とするのがより好ましい。
【００６８】
すなわち、上記操作面５４１と載置面２１との高低差は、トッププレート２の厚さ未満とするのが好ましく、トッププレート３０２の厚さの半分以下とするのがより好ましい。
【００６９】
〔第６実施形態〕
この発明の第６実施形態の加熱調理器は、図９に示すように、トッププレート２および入力操作部４が取り付けられる筺体６０１を備える。
【００７０】
上記筺体６０１は、上記第１実施形態とは形状が異なるだけである。より詳しくは、筺体６０１にトッププレート２および入力操作部４を取り付けたとき、トッププレート２の搭載面２１は水平方向と略平行になる一方、入力操作部４の操作面４１は後側よりも前側が低くなるように傾斜する。すなわち、上記第６実施形態においても、トッププレート２の載置面２１を含む平面は、入力操作部４の操作面４１を含む平面と異なる。また、上下方向において、トッププレート２の載置面２１と、入力操作部４の操作面４１との間の距離で最も短い距離が、０．５ｍｍ〜３．０ｍｍの範囲内に入っている。そして、入力操作部４の操作面４１の最上端は、トッププレート２の載置面２１よりも低い。また、前後方向においては、入力操作部４の一部がトッププレート２の大部分に重なっている。
【００７１】
上記構成の加熱調理器であっても、上記第１実施形態と同様の作用効果を奏する。
【００７２】
なお、図９では、上記第１実施形態の構成部と同一構成部には、上記第１実施形態の構成部の参照番号と同一参照番号を付している。
【００７３】
上記第５実施形態では、上下方向において、載置面２１と操作面４１との間の距離で最も短い距離は、０．５ｍｍ〜３．０ｍｍの範囲内とするのが好ましく、０．５ｍｍ〜１．０ｍｍの範囲内とするのがより好ましい。
【００７４】
すなわち、上記最も短い距離は、トッププレート２の厚さ未満とするのが好ましく、トッププレート３０２の厚さの半分以下とするのがより好ましい。
【００７５】
この発明の具体的な実施形態について説明したが、この発明は上記第１〜第６実施形態および変形例に限定されるものではなく、この発明の範囲内で種々変更して実施することができる。例えば、第１〜第６実施形態および変形例で述べた構成要素を、適宜、組み合わせたり、また、適宜、選択、置換、あるいは、削除したりして、この発明の一実施形態を得てもよい。
【００７６】
また、この発明のトッププレートは、入力操作部とは別体に設けられたトッププレートに限定されず、図１０,図１１に示すように、入力操作部７０４,８０４と一体に設けられたトッププレート７０２,８０２であってもよい。
【００７７】
上記トッププレート７０２,８０２の載置面７２１,８２１を含む平面は、入力操作部７０４,８０４の操作面７４１,８４１を含む平面と異なる。このトッププレート７０２の載置面７２１と、入力操作部７０４の操作面７４１との位置関係は、上記第１実施形態と同様である。一方、トッププレート８０２の載置面８２１と、入力操作部８０４の操作面８４１との位置関係は、上記第４実施形態と同様である。
【００７８】
すなわち、この発明および実施形態を纏めると、次のようになる。
【００７９】
この発明の加熱調理器は、
被加熱物１００が載置される載置面２１,３２１,７２１,８２１を有するトッププレート２,３０２,７０２,８０２と、
上記トッププレート２,３０２,７０２,８０２の下方に配置されて、上記被加熱物１００を電磁誘導加熱する加熱コイル２８と、
上記トッププレート２,３０２,７０２,８０２の前方に配置されて、上記加熱コイル２８を制御するためのキー４２が設けられた操作面４１,５４１,７４１,８４１を有する操作部４,５０４,７０４,８０４と
を備え、
上記トッププレート２,３０２,７０２,８０２および操作部４,５０４,７０４,８０４は、上記操作部４,５０４,７０４,８０４を前方から見たときに上記操作部４,５０４,７０４,８０４の少なくとも一部が上記トッププレート２,３０２,７０２,８０２に重なるように、かつ、上記トッププレート２,３０２,７０２,８０２の上記載置面２１,３２１,７２１,８２１を含む平面が、上記操作部４,５０４,７０４,８０４の上記操作面４１,５４１,７４１,８４１を含む平面と異なるように、設けられていることを特徴としている。
【００８０】
上記構成によれば、上記操作部４,５０４,７０４,８０４を前方から見たときに上記操作部４,５０４,７０４,８０４の少なくとも一部が上記トッププレート２,３０２,７０２,８０２に重なるように、かつ、上記トッププレート２,３０２,７０２,８０２の上記載置面２１,３２１,７２１,８２１を含む平面が、上記操作部４,５０４,７０４,８０４の上記操作面４１,５４１,７４１,８４１を含む平面と異なるように、トッププレート２,３０２,７０２,８０２および操作部４,５０４,７０４,８０４を設ける。これにより、上記被加熱物１００の一部は上記載置面２１,３２１,７２１,８２１に搭載されているが、被加熱物１００の他の部分は上記載置面２１,３２１,７２１,８２１に載置されていないとき、被加熱物１００が操作面４１,５４１,７４１,８４１のキー４２に接触し難くなる。また、上記載置面２１,３２１,７２１,８２１上の被加熱物１００を載置面２１,３２１,７２１,８２１と平行に移動させたときでも、被加熱物１００が操作面４１,５４１,７４１,８４１のキー４２に接触し難くなる。したがって、上記加熱コイル２８の制御がユーザの意思に反して行われないようにして、加熱調理器の誤動作を防ぐことができる。
【００８１】
また、上記操作部４,５０４,７０４,８０４を前方から見たときに上記操作部４,５０４,７０４,８０４の少なくとも一部が上記トッププレート２,３０２,７０２,８０２に重なると、トッププレート２,３０２,７０２,８０２の載置面２１,３２１,７２１,８２１と操作部４,５０４,７０４,８０４の操作面４１,５４１,７４１,８４１とを前方側の斜め上方から見たとき、載置面２１,３２１,７２１,８２１と操作面４１,５４１,７４１,８４１の間に生じる段差が目立ち難くなる。したがって、載置面２１,３２１,７２１,８２１および操作面４１,５４１,７４１,８４１で生じる美観の低下を防ぐことができる。
【００８２】
一実施形態の加熱調理器では、
上記キー４２は、静電容量式のタッチキー４２である。
【００８３】
上記実施形態によれば、上記操作面４１,５４１,７４１,８４１に静電容量式のタッチキー４２を設けることにより、操作面４１,５４１,７４１,８４１を平面にすることができる。すなわち、上記タッチキー４２は操作面４１,５４１,７４１,８４１から突出しない。したがって、上記被加熱物１００がタッチキー４２に接触する可能性は低い。
【００８４】
また、上記タッチキー４２は静電容量式だから、抵抗膜方式に比べて、薄くすることができる。したがって、上記タッチキー４２への被加熱物１００の接触の可能性を下げる効果を高めることができる。
【００８５】
一実施形態の加熱調理器では、
上記トッププレート２,３０２と上記操作部４,５０４の間には、溝１２,２１２が設けられている。
【００８６】
上記実施形態によれば、上記被加熱物１００から載置面２１,３２１に例えば液体が吹きこぼれたとき、トッププレート２,３０２と操作部４,５０４の間に溝１２,２１２があるので、操作面４１,５４１に向かって流れる液体を溝１２,２１２に沿って流すことができる。その結果、上記操作面４１,５４１への上記液体の付着を抑制できる。
【００８７】
一実施形態の加熱調理器では、
上記溝２１２は、少なくとも一方の側方に開口していると共に、上記開口とは反対側に比べて上記開口側が低くなるように傾斜する底面２１２１を有する。
【００８８】
上記実施形態によれば、上記被加熱物１００から載置面２１,３２１に例えば液体が吹きこぼれて、トッププレート２,３０２と操作部４,５０４の間の溝２１２に入ったとき、溝２１２の底面２１２１の傾斜により、溝２１２の側方の開口へ液体を流すことができる。したがって、上記操作面４１,５４１への液体の付着を抑制する効果を高めることができる。
【００８９】
一実施形態の加熱調理器では、
上記トッププレート２,３０２,７０２の上記載置面２１,３２１,７２１を含む平面に比べて、上記操作部４,５０４の上記操作面４１,７４１を含む平面の方が低い。
【００９０】
上記実施形態によれば、上記トッププレート２,３０２,７０２の上記載置面２１,３２１,７２１を含む平面に比べて、上記操作部４,５０４の上記操作面４１,７４１を含む平面の方が低いので、被加熱物１００が操作面４１,７４１のキー４２に接触する可能性を低減できる。
【００９１】
一実施形態の加熱調理器では、
上記トッププレート２,８０２の上記載置面２１,８２１を含む平面に比べて、上記操作部４,５０４の上記操作面４１,５４１,８４１を含む平面の方が高い。
【００９２】
上記実施形態によれば、上記トッププレート２,８０２の上記載置面２１,８２１を含む平面に比べて、上記操作部４,５０４の上記操作面４１,５４１,８４１を含む平面の方が高いので、被加熱物１００から載置面２１,８２１に吹きこぼれた例えば液体が流れて操作面４１,５４１,８４１に付着し難くなる。したがって、上記操作面４１,５４１,８４１への液体の付着を抑制する効果を高めることができる。
【符号の説明】
【００９３】
１,３０１,６０１,７０１,８０１  筺体
２,３０２,７０２,８０２  トッププレート
４,５０４,７０４,８０４  入力操作部
１２,２１２  溝
１２１,２１２１  底面
２１,３２１,７２１,８２１  載置面
２８  加熱コイル
４２  タッチキー
４１,５４１,７４１,８４１  操作面
１００  鍋
【図１】
0006489818.tif 000002
【図２】
0006489818.tif 000003
【図３】
0006489818.tif 000004
【図４】
0006489818.tif 000005
【図５】
0006489818.tif 000006
【図６】
0006489818.tif 000007
【図７】
0006489818.tif 000008
【図８】
0006489818.tif 000009
【図９】
0006489818.tif 000010
【図１０】
0006489818.tif 000011
【図１１】
0006489818.tif 000012